(57)【特許請求の範囲】
【請求項１】
有底筒状に形成され、一端に開口部が形成されており、内部に前記開口部と連通している第一収容空間が形成されており、他端の底部に前記開口部側に突出している第１螺合部が形成されており、前記第１螺合部の内側にねじ部が設けられている蓋体と、
前記第１螺合部の外側に設けられ、前記開口部側に突出する摘み部が突設され、前記蓋体をコップ本体に組み立てたとき、前記蓋と前記コップ本体との間の気密性を保つワッシャと、
一端に形成されている上面穴部、他端に形成されている底面穴部、および少なくとも一つの側面穴部を有する中空状枠、ならびに、少なくとも一つのフィルタを有し、前記上面穴部にはねじ部が外壁に形成されている第２螺合部が設けられ、前記第２螺合部のねじ部と前記第１螺合部のねじ部とが螺合することで、前記第２螺合部と前記第１螺合部とが一体となり、一端が前記蓋体の前記第一収容空間内に収容され、他端が前記蓋体の前記開口部から突出し、前記フィルタが前記側面穴部および前記底面穴部に覆い被さることで第二収容空間を形成するフィルタエレメントと、を備えることを特徴とするコップ用蓋。
【請求項２】
前記摘み部は、前記蓋体の軸方向の長さが前記第１螺合部の前記軸方向の高さより大きく形成されていることを特徴とする請求項１記載のコップ用蓋。
【請求項３】
前記摘み部はさらに前記コップ蓋の軸心方向に傾斜して延在されることを特徴とする、請求項２記載のコップ用蓋。
【請求項４】
前記中空状枠の他端には複数のスタンドが突設されていることを特徴とする請求項３記載のコップ用蓋。
【請求項５】
有底筒状に形成され、一端に開口部が形成されており、内部に前記開口部と連通している第一収容空間が形成されており、他端の底部に前記開口部側に突出している第１螺合部が形成されており、前記第１螺合部の外側にねじ部が設けられている蓋体と、
一端に形成されている上面穴部、他端に形成されている底面穴部、および少なくとも一つの側面穴部を有する中空状枠、ならびに、少なくとも一つのフィルタを有し、前記上面穴部にはねじ部が内壁に形成されている第２螺合部が設けられ、前記第２螺合部のねじ部と前記第１螺合部のねじ部とが螺合することで前記第２螺合部と前記第１螺合部とが一体となり、一端が前記蓋体の前記第一収容空間内に収容され、他端が前記蓋体の前記開口部から突出し、前記フィルタが前記側面穴部および前記底面穴部に覆い被さることで第二収容空間を形成するフィルタエレメントと、
前記第２螺合部の外側に設けられ、前記蓋体をコップに組み立てたとき、前記蓋と前記コップとの間の気密性を保つワッシャと、を備えることを特徴とするコップ用蓋。
【請求項６】
前記ワッシャは、前記開口部側に突出している摘み部が突設されていることを特徴とする請求項５記載のコップ用蓋。
【請求項７】
前記摘み部は、前記蓋体の中心軸方向に傾斜して形成されていることを特徴とする請求項６記載のコップ用蓋。
【請求項８】
前記中空状枠の他端には複数のスタンドが突設されていることを特徴とする請求項７記載のコップ用蓋。
【請求項９】
有底筒状に形成され、一端に開口部が形成されており、内部に前記開口部と連通している第一収容空間が形成されており、他端の底部に前記開口部側に突出している第１螺合部が形成されており、前記第１螺合部の外側にねじ部が設けられている蓋体と、
一端に形成されている上面穴部、他端に形成されている底面穴部、および少なくとも一つの側面穴部を有する中空状枠、ならびに、少なくとも一つのフィルタを有し、前記上面穴部にはねじ部が内壁に形成されている第２螺合部が設けられ、前記第２螺合部のねじ部と前記第１螺合部のねじ部とが螺合することで前記第２螺合部と前記第１螺合部とが一体となり、一端が前記蓋体の前記第一収容空間内に収容され、他端が前記蓋体の前記開口部から突出し、前記フィルタが前記側面穴部および前記底面穴部に覆い被さることで第二収容空間を形成するフィルタエレメントと、
前記第１螺合部の外側に設けられ、前記開口部側に突出する摘み部が突設され、前記蓋体をコップに組み立てたとき、前記蓋と前記コップとの間の気密性を保つワッシャと、を備えることを特徴とするコップ用蓋。
【請求項１０】
前記摘み部は、前記蓋体の軸方向の長さが前記第１螺合部の前記軸方向の高さより大きく形成されていることを特徴とする請求項１記載のコップ用蓋。
【発明の詳細な説明】
【技術分野】
【０００１】
本発明はコップ用蓋に関する。
【背景技術】
【０００２】
多くの研究報告と医学ジャーナルにより、コーヒーまたはお茶などの飲料にはヒトの体に有益な成分が複数含まれていると報告されている。一例として、お茶には、炭水化物、タンパク質、遊離アミノ酸、脂肪酸、ポリフェノール化合物、有機酸、植物性アルカロイド、および、ミネラルなど多種の成分が含まれている。一方、コーヒーには、カフェイン、抗酸化物質（ａｎｔｉｏｘｉｄａｎｔｓ）、ポリフェノール化合物、タンパク質、タンニン、リノール酸、および、アルカロイドなど、ヒトの体に有益な成分が複数含まれている。このため、人々は、仕事の後に、コーヒーまたはお茶を飲用すれば、元気回復すると共に健康維持の効果を得ることができる。
【０００３】
使用者が携帯可能であり、お茶またはコーヒーを便利に飲用可能であるドリッパー器具が知られている。その一例として、図１と２に示すように、ドリッパー器具１は、コップ体１０と、蓋体１２と、フィルタエレメント１４と、飲用コップ１６と、を備える。コップ体１０の上面に開口部が設けられており、内部の開口部に対応する位置に液体を収容するための収容空間１００が形成されている。コップ体１０の上面の外縁部にはねじ部１０２が環設されている。蓋体１２の底面には別の開口部が形成されている。蓋体１２の内部には別の開口部に対応する位置に組立空間１２０が形成されており、内部の底面に別の開口部側に向いて第１嵌め込み部１２１が形成されている。蓋体１２は底面近傍の内側にねじ部１２２が設けられている。ねじ部１２２とねじ部１０２とが螺合することにより、蓋体１２がコップ体１０に固定される。フィルタエレメント１４はコップ状を形成し、かつ中空状枠体１４１と、フィルタ１４２とが結合することで形成される。フィルタエレメント１４は茶葉、コーヒーパウダー等を収容する。枠体１４１は上面の外縁部に形成されている第２嵌め込み部１４３を有する。第２嵌め込み部１４３と第１嵌め込み部１２１とが互いに嵌め込むことによって、フィルタエレメント１４が蓋体１２に固定される。
【０００４】
蓋体１２の上面の付近部の外縁部には複数の突起部１２３が設けられ、飲用コップ１６の底面付近部の内縁にはへこみ溝１６１が凹設され、飲用コップ１６が蓋体１２の上面に組み付けられたとき、突起部１２３がへこみ溝１６１に嵌め込まれ、飲用コップ１６が蓋体１２に固定される。さらに、蓋体１２とコップ体１０とが螺合された後にコップ体１０内部の液体が雌ねじ山１２２と雄ねじ山１０２との間より滲み出すことを防止するために、蓋体１２の第１嵌め込み部１２１と雌ねじ山１２２との間にはワッシャ１８が設けられている。ワッシャ１８は丸いリング状であり、雌ねじ山１２２と雄ねじ山１０２とが螺合された後、コップ体１０と蓋体１２との間できわめて良い気密性を保つ。
【先行技術文献】
【特許文献】
【０００５】
【特許文献１】国際公開第ＷＯ００／２１８５７号明細書
【発明の概要】
【発明が解決しようとする課題】
【０００６】
しかしながら、考案者が前述のドリッパー器具１の清掃について、種々の欠点があるということに気づいた。まず、蓋体１２とフィルタエレメント１４は嵌め込み方式が結合されているため、使用者がフィルタエレメント１４を蓋体１２への取り付けまたは蓋体１２からフィルタエレメント１４を取り外して洗浄するときには、指部で枠体１４１を圧迫して変形させなければ、第２嵌め込み部１４３を第１嵌め込み部１２１に嵌め込み、または第２嵌め込み部１４３を第１嵌め込み部１２１から離脱させることはできない。しかし、使用期間を経過するかまたは使用者の不用意で過大な力を加わると、枠体１４１が恒久的に変形しフィルタエレメント１４を蓋体１２へ安定に固定することができず、淹れるとき、フィルタエレメント１４と蓋体１２とが離脱し、内部の淹れたい物が液体に混入し、使用者が淹れた物を飲むことができない。
【０００７】
さらに、図１と２に示すように、ワッシャ１８が蓋体１２から抜け出すことを避けるため、第１嵌め込み部１２１と雌ねじ山１２２との間の距離は、一般としてワッシャ１８を蓋体１２の内部に密着および固定可能な距離とあり、ワッシャ１８の幅よりも小さい。しかし、長期間使用後ワッシャ１８に垢などを付着し清掃の必要がある。このとき、使用者は指部でワッシャ１８を取り出すことは難しく、鋭い器物でワッシャ１８をえぐり出さなければならない。これにより、使用者によるワッシャ１８の洗浄に困難をきたすほか、ワッシャ１８の取り出し途中でワッシャ１８を損傷し、コップ体１０と蓋体１２との間の密着性を影響する恐れがある。
【０００８】
よって、公知のドリッパー器具の洗浄において発生する欠点を改良し、使用者によるドリッパー器具使用の印象を改善することは、多くのドリッパー器具業者が解決しようとする課題であり、多くの消費者が期待することである。
【０００９】
本発明は、上述の問題に鑑みてなされたものであり、その目的は、取り外しと洗浄が簡単なコップ蓋を提供することである。
【課題を解決するための手段】
【００１０】
本発明のコップ用蓋は、蓋体、ワッシャ、および、フィルタエレメントを備える。蓋体は、有底筒状に形成され、一端に開口部が形成されており、内部に開口部と連通している第一収容空間が形成されており、他端の底部に開口部側に突出している第１螺合部が形成されており、第１螺合部の内側にねじ部が設けられている。ワッシャは、第１螺合部の外側に設けられ、開口部側に突出する摘み部が突設され、蓋体をコップに組み立てたとき、蓋とコップとの間の気密性を保つ。フィルタエレメントは、一端に形成されている上面穴部、他端に形成されている底面穴部、および少なくとも一つの側面穴部を有する中空状枠、ならびに、少なくとも一つのフィルタを有し、上面穴部にはねじ部が外壁に形成されている第２螺合部が設けられ、第２螺合部のねじ部と第１螺合部のねじ部とが螺合することで第２螺合部と第１螺合部とが一体となり、一端が蓋体の第一収容空間内に収容され、他端が蓋体の開口部から突出し、フィルタが側面穴部および底面穴部に覆い被さることで第二収容空間を形成する。
【００１１】
第１螺合部と第２螺合部とのねじ山の位置が互いに逆となるようにすることで、ワッシャを第２螺合部の外縁部に嵌め込むことができ、使用者がフィルタエレメントのみを取り外せば、ワッシャを速やかに取り外すことができ、取り外しの利便性を大幅に向上することができる。
【図面の簡単な説明】
【００１２】
【図１】従来のコップ用蓋を示す分解斜視図である。
【図２】従来のコップ用蓋を示す断面図である。
【図３】本発明の第一実施形態のコップ用蓋を示す分解斜視図である。
【図４】本発明の第一実施形態のコップ用蓋を示す断面図である。
【図５】本発明の第一実施形態のコップ用蓋を示す断面図である。
【図６】本発明の第二実施形態のコップ用蓋を示す断面図である。
【発明を実施するための形態】
【００１３】
本発明の目的、技術特徴及びその効果を詳しく説明するために、図面に基づいて本発明の実施形態を説明する。
【００１４】
（第一実施形態）
本発明の第一実施形態によるコップ用蓋を図３〜５に基づいて説明する。図３、４に示すように、本実施形態ではコップ用は、蓋体２１と、ワッシャ２３と、フィルタエレメント２５と、を備える。そのうち、蓋体２１は、底面に開口部２１０が形成されており、内部に開口部２１０と連通している収容空間２１１が形成されている。ワッシャ２３およびフィルタエレメント２５は収容空間２１１に収容され、蓋体２１に固定されている。蓋体２１は、内壁面２１２Ａに開口部２１０の方向に突出している第１螺合部２１４が形成されている。第１螺合部２１４の内側にはねじ山が形成されており、内壁面２１２Ｂと所定距離離れている。蓋体２１は、内壁面２１２Ｂの開口部２１０側に複数のねじ山が形成されている。これにより、蓋体２１はコップ本体２７の開口部０に螺合されることができる。
【００１５】
図３、４に示すように、ワッシャ２３は、防水部材から形成されており、第１螺合部２１４の外壁と内壁面２１２Ｂとの間に嵌め込まれている。蓋体２１をコップ本体２７の開口部に取り付けたとき、ワッシャ２３は蓋体２１とコップ本体２７との間に挟まれる。さらに、ワッシャ２３上には摘み部２３１が形成され、摘み部２３１は開口部２１０の方向に向いて斜めに形成されている。かつ、摘み部２３１は、長さが第１螺合部２１４の高さよりも大きく形成されている。これにより、使用者がワッシャ２３を取り外して洗浄するときは、指部で摘み部２３１を引っ張ればワッシャ２３を簡単に取り出すことができる。引き続き、図５に示すように、蓋体２１をコップ本体２７に取り付けるとき、螺合することによりコップ本体２７の上面が摘み部２３１を圧迫するようにし、蓋体２１とコップ本体２７とが密着できないことを抑制する。摘み部２３１は、蓋体２１の軸心方向に向いて形成されているため、コップ本体２７と蓋体２１とが螺合するとき、コップ本体２７と蓋体２１とが当接することを阻害しない。
【００１６】
引き続き、図３、４に示すように、フィルタエレメント２５は中空状枠２５１と少なくとも一つのフィルタ２５３とを含み、中空状枠２５１は少なくとも一つの側面穴部２５０（本実施例において、４つの側面穴部２５０を有する。）を有する。中空状枠２５１は上面に第２螺合部２５２が設けられ、第２螺合部２５２の外壁にはねじ山が形成されている。第２螺合部２５２の外壁のねじ山と第１螺合部２１４の内壁のねじ山とが螺接されると、第２螺合部２５２が収容空間２１１の内部に収容され、フィルタエレメント２５の上部が蓋体２１の内部に固定され、フィルタエレメント２５の底部が蓋体２１の開口部２１０の外側に露出される。フィルタ２５３は、側面穴部２５０ｔと中空状枠２５１の底面穴部２５４とを被せて、中空状枠２５１の内部にて収容空間２５５を形成する。淹れたい物（お茶の葉、コーヒーパウダーなど）を中空状枠２５１の上面穴部２５６から収容空間２５５に入れることができる。これにより、使用者が蓋体２１からフィルタエレメント２５を取り外すたいとき、手でフィルタエレメント２５の底部を握ってフィルタエレメント２５を回すことにより、フィルタエレメント２５と蓋体２１とを簡単に分離し、フィルタエレメント２５を洗浄することができる。前述した取り外しプロセスは、フィルタエレメント２５の変形を引き起こす恐れはなく、フィルタエレメント２５の使用寿命を大幅に向上することができる。
【００１７】
引き続き、図３、４に示すように、中空状枠２５１の底面は複数のスタンド２５７が設けられている。スタンド２５７によってフィルタエレメント２５が平面に立つことできる。ただし、本発明その他の実施例においては、スタンド２５７を省くこともできる。
【００１８】
（第二実施形態）
本発明の第二実施形態を図６に示す。図６では、第一実施形態と異なる部材に新しい番号が付けられている。第一実施形態と実質同一である部材には第一実施形態と同じ番号が付けられている。本実施形態では、蓋体２１の第１螺合部３１４は外壁にねじ山が設けられ、中空状枠２５１の第２螺合部３５２は内壁にねじ山が設けられている。かつ第１螺合部３１４と第２螺合部３５２とが螺合することによって、フィルタエレメント２５が蓋体２１内に固定される。さらに、ワッシャ３３を第２螺合部３５２の外縁と内壁面２１２Ｂとの間に取り付けることで、ワッシャ３３を固定する。これにより、第二実施形態において、フィルタエレメント２５を取り外した後、ワッシャ３３も簡単に取り外すことができる。よって、ワッシャ３３に摘み部２３１を設けなくても良い。ただし、本発明他の実施形態では、第１螺合部３１４と第２螺合部３５２とは第二実施形態の態様を維持し、ワッシャ３３を第１螺合部３１４の外壁と内壁２１２Ｂとの間に設けておけば、フィルタエレメント２５が蓋体２１に螺合されたとき、第２螺合部３５２によってワッシャ３３が圧迫される。
【００１９】
図３、４に示すように、使用者は、フィルタエレメント２５に淹れたい物を入れた後に、フィルタエレメント２５を再び蓋体２１に螺合すれば、蓋体２１をコップ本体２７に螺合することができる。さらに、フィルタエレメント２５をコップ本体２７に取り付けて、淹れたい物をコップ本体２７の液体（水など）に浸すことにより、飲用可能な飲料（お茶、コーヒーなど）を作ることができる。淹れたい物を淹れた後、使用者は、蓋体２１を取り外し、スタンド２５７を介してフィルタエレメント２５を外部フードまたは平面に立てて置くことができ、コップ本体２７内部の飲料を直接に飲用することができる。さらに、使用者が蓋体２１の構成部材を取り外して洗浄したいときは、フィルタエレメント２５を回すことにより、フィルタエレメント２５を簡単に蓋体２１から取り外すことができる。さらに、摘み部２３１により、簡単、かつすばやくワッシャ２３を取り外して洗浄することができ、使用者は他の工具を使用してワッシャ２３をえぐり出す必要がなく、洗浄の便利性を大幅に向上することができる。このように、本実施形態の蓋体２１は従来のドリッパー器具に比べて、より早く取り外すことができ、洗浄の利便性を大幅に向上することができる。
【００２０】
本発明の好ましい実施形態は以上の説明のとおりである。ただし、本発明の権利範囲はこれらに限られないものとする。当該技術を熟知する者は、本発明で開示された技術内容に基づき、簡単に想到できる変化などは、本発明の特許請求の範囲に含まれる。
【符号の説明】
【００２１】
２１・・・蓋体、
２１０・・・開口部、
２１１・・・収容空間（第一収容空間）、
２１２Ａ、２１２Ｂ・・・内壁面、
２１４、３１４・・・第１螺合部、
２３、３３・・・ワッシャ、
２３１・・・摘み部、
２５・・・フィルタエレメント、
２５０・・・側面穴部、
２５１・・・中空状枠、
２５２、３５２・・・第２螺合部、
２５３・・・フィルタ、
２５４・・・底面穴部、
２５５・・・収容空間（第二収容空間）、
２５６・・・上面穴部、
２５７・・・スタンド、
２７・・・コップ本体。
【要約】
【課題】取り外しと洗浄が簡単なコップ用蓋を提供する。
【解決手段】蓋体２１は、有底筒状に形成され、一端に開口部２１０が形成されており、内部に開口部２１０と連通している収容空間２１１が形成されており、他端の底部に開口部２１０側に突出している第１螺合部２１４が形成されている。ワッシャ２３は、開口部２１０側に突出する摘み部２３１が突設されている。フィルタエレメント２５は、一端に形成されている上面穴部２５６、他端に形成されている底面穴部２５４、および少なくとも一つの側面穴部２５０を有する中空状枠、ならびに、少なくとも一つのフィルタ２５３を有する。上面穴部２５６にはねじ部が外壁に形成されている第２螺合部２５２が設けられている。
【選択図】図４【図１】
0005539566.tif 000002
【図２】
0005539566.tif 000003
【図３】
0005539566.tif 000004
【図４】
0005539566.tif 000005
【図５】
0005539566.tif 000006
【図６】
0005539566.tif 000007